(57)【要約】【課題】宿泊客が低い湯温を好む場合に容易に好みの低い湯温に調節可能な浴槽運転システムを提供する。【解決手段】管理サーバー１と各客室毎に設けられた制御盤２とが接続された客室ネットワークが構築され、各制御盤２にはそれぞれリモコン２２が接続されている。浴室には、給湯配管３と、給水配管４と、給湯配管から供給された湯と給水配管から供給された冷水とを混合した適温水を浴槽に供給する適温水配管６と、温泉配管５と、給水配管から分岐し分岐管用電動弁１４を介在させて適温水配管に接続される分岐管７と、浴槽の湯を昇温させる循環昇温装置１８とを備えている。制御盤の湯温制御回路は湯温が設定湯温より低いときは循環昇温装置を作動させて湯温を設定湯温まで上昇させる昇温制御を行う。湯温が設定湯温より高いときは分岐管用電動弁１４を開いて分岐管７より冷水を適温水配管６に流入させて浴槽湯温を設定湯温まで下降させる降温制御を行う。【選択図】図１
2020063854.tif 000002
【特許請求の範囲】
【請求項１】
宿泊施設の複数の客室にそれぞれ設置された浴槽の湯温及び水位を個別に制御する宿泊施設の浴槽運転システムであって、
当該宿泊施設には、管理サーバーと各客室毎に設けられた制御盤とが有線又は無線にて接続された客室ネットワークが構築され、前記各制御盤にはそれぞれリモコンが接続され、
各浴室には、
前記各客室に共通である共通給湯配管から分岐して湯を供給する給湯配管と、
前記各客室に共通である共通給水配管から分岐して冷水を供給する給水配管と、
前記給湯配管から供給された湯と前記給水配管から供給された冷水とをミキシングバルブを介して混合した適温水を適温水用電動弁を介して浴槽に供給する適温水配管と、
前記各客室に共通である共通温泉配管から分岐して温泉を温泉用電動弁を介して浴槽に供給する温泉配管と、
前記給水配管から分岐され通常は閉ざされている分岐管用電動弁を介在させて前記適温水配管に接続される分岐管と、
浴槽の湯を循環配管を通して循環させる循環ポンプ及び前記循環ポンプにより循環する湯を昇温させる昇温手段を有する循環昇温装置とを備え、
各浴室の前記制御盤は、前記管理サーバー又は前記リモコンの操作にて設定された設定湯温に対応して浴槽湯温を上昇又は下降させる湯温制御回路を備え、
前記湯温制御回路は、湯温センサで検知した現在湯温が前記設定湯温より低いときは、前記循環昇温装置を作動させて湯温を前記設定湯温まで上昇させる昇温制御を行い、湯温センサで検知した現在湯温が前記設定湯温より高いときは、前記分岐管用電動弁を開いて前記分岐管より冷水を前記適温水配管に流入させて浴槽湯温を前記設定湯温まで下降させる降温制御を行うように構成されていることを特徴とする宿泊施設の浴槽運転システム。
【請求項２】
前記降温制御に際して、前記適温水用電動弁を閉ざして分岐管からの冷水だけを適温水配管に流す降温制御、及び前記適温水用電動弁を開いた状態で分岐管からの冷水を適温水配管に流す降温制御のいずれもが可能とされていることを特徴とする請求項１記載の宿泊施設の浴槽運転システム。
【請求項３】
前記浴槽が露天風呂の浴槽であることを特徴とする請求項１又は２記載の宿泊施設の浴槽運転システム。
【請求項４】
前記分岐管用電動弁及び適温水用電動弁の一方又は両方が、開度調整が可能な比例制御の電動弁であることを特徴とする請求項１〜３のいずれか1項に記載の宿泊施設の浴槽運転システム。
【発明の詳細な説明】
【技術分野】
【０００１】
この発明は、宿泊施設の複数の客室にそれぞれ設置された浴槽の湯温及び水位を個別に制御可能な宿泊施設の浴槽運転システムに関する。
【背景技術】
【０００２】
ホテル、旅館などの宿泊施設に設置されている浴槽運転システムでは、一般に湯温を下げる必要性は少ないため、浴槽の湯が冷めないように湯温を維持するための循環昇温装置を設けていても、湯温を下げる構成とはされていない。
【０００３】
宿泊施設に設置されている部屋付きの露天風呂の場合は特に、外気に触れることなどでお湯が冷めないようにする必要があり循環昇温装置を設けている場合が多いが、湯温を下げる構成とはされていない。
【０００４】
客の個人差もあり客が通常より低い湯温を好む場合もあるが、冷水（水道水など）の蛇口を配置していない場合も多く、その場合には客が自分で冷水を浴槽に入れて湯温を下げることができない。また、冷水の蛇口があったにしても、蛇口から冷水を出して自分にちょうどよい湯温に調節する操作は煩雑である。
【０００５】
特許文献１の「浴槽の遠隔制御システム」に「水温調節器」が記載されているが、この「水温調節器２５０」もやはり浴槽湯温を循環させ加熱上昇させる装置（請求項１、３、７、１０、及び実施例の各記載）であり、湯温を下げることは考慮されていない。
【先行技術文献】
【特許文献】
【０００６】
【特許文献１】特開２００８−５１０１２３（浴槽の遠隔制御システム）
【発明の概要】
【発明が解決しようとする課題】
【０００７】
本発明は上記背景のもとになされたもので、宿泊施設の複数の客室にそれぞれ設置された浴槽において、客が通常より低い湯温を好む場合には、自分で容易に好みの湯温に調節することが可能な浴槽運転システムを提供することを目的とする。
【課題を解決するための手段】
【０００８】
上記課題を解決する請求項１の発明は、宿泊施設の複数の客室にそれぞれ設置された浴槽の湯温及び水位を個別に制御する宿泊施設の浴槽運転システムであって、
当該宿泊施設には、管理サーバーと各客室毎に設けられた制御盤とが有線又は無線にて接続された客室ネットワークが構築され、前記各制御盤にはそれぞれリモコンが接続され、
各浴室には、
前記各客室に共通である共通給湯配管から分岐して湯を供給する給湯配管と、
前記各客室に共通である共通給水配管から分岐して冷水を供給する給水配管と、
前記給湯配管から供給された湯と前記給水配管から供給された冷水とをミキシングバルブを介して混合した適温水を適温水用電動弁を介して浴槽に供給する適温水配管と、
前記各客室に共通である共通温泉配管から分岐して温泉を温泉用電動弁を介して浴槽に供給する温泉配管と、
前記給水配管から分岐され通常は閉ざされている分岐管用電動弁を介在させて前記適温水配管に接続される分岐管と、
浴槽の湯を循環配管を通して循環させる循環ポンプ及び前記循環ポンプにより循環する湯を昇温させる昇温手段を有する循環昇温装置とを備え、
各浴室の前記制御盤は、前記管理サーバー又は前記リモコンの操作にて設定された設定湯温に対応して浴槽湯温を上昇又は下降させる湯温制御回路を備え、
前記湯温制御回路は、湯温センサで検知した現在湯温が前記設定湯温より低いときは、前記循環昇温装置を作動させて湯温を前記設定湯温まで上昇させる昇温制御を行い、湯温センサで検知した現在湯温が前記設定湯温より高いときは、前記分岐管用電動弁を開いて前記分岐管より冷水を前記適温水配管に流入させて浴槽湯温を前記設定湯温まで下降させる降温制御を行うように構成されていることを特徴とする。
【０００９】
請求項２は、請求項１の宿泊施設の浴槽運転システムにおいて、前記降温制御に際して、前記適温水用電動弁を閉ざして分岐管からの冷水だけを適温水配管に流す降温制御、及び前記適温水用電動弁を開いた状態で分岐管からの冷水を適温水配管に流す降温制御のいずれもが可能とされていることを特徴とする。
【００１０】
請求項３は請求項１又は２の宿泊施設の浴槽運転システムにおいて、前記浴槽が露天風呂の浴槽であることを特徴とする。
【００１１】
請求項４は、請求項１〜３のいずれか1項の宿泊施設の浴槽運転システムにおいて、前記分岐管用電動弁及び適温水用電動弁の一方又は両方が、開度調整が可能な比例制御の電動弁であることを特徴とする。
【発明の効果】
【００１２】
本発明の宿泊施設の浴槽運転システムによれば、特に湯温を下げる必要性の少ない通常の浴槽運転状態では、浴槽の湯が冷めないように湯温を維持するための循環昇温装置により、湯温が自動的に一定温度に維持されるとともに、客が特に低い湯温を好む場合には、客が自室にあるリモコン操作で容易に湯温を所望の温度に下げることができる。
その場合客は、所望の温度を設定しかつ分岐管用電動弁を開とするリモコン操作だけで済み、極めて容易である。
【００１３】
湯温を下げる制御を可能にするための新たな追加設備としては、従来施設において装備されている給湯配管と給水配管とによる湯張り用の適温水配管における前記給水配管から分岐させる分岐管及びその分岐管に設ける分岐管用電動弁を設置するだけで済み、客が自分で容易に所望の湯温に下げることが可能な浴槽運転システムを、安価な改修費で実現できる。
【００１４】
請求項２のように、  降温制御に際して適温水用電動弁を閉ざし分岐管からの冷水だけを適温水配管に流す降温制御を可能にすれば、短い時間で温度を下げたい場合に有効である。
【００１５】
露天風呂の場合には、外気に触れることなどでお湯が冷めやすいので、湯温を下げる必要性は少ないとは言えるが、特に低い湯温を望む客に対しても対応可能なので、好ましい制御手段と言える。
【００１６】
岐管用電動弁を開度調整が可能な比例制御の電動弁とすれば、客の希望に対応する適切な降温制御を行うことができる。
【図面の簡単な説明】
【００１７】
【図１】本発明の一実施例の宿泊施設の浴槽運転システムにおける一つの客室の浴槽設備の構成説明図である。
【図２】図１における要部の拡大図である。
【図３】宿泊施設の全体の浴槽の運転を管理する浴槽運転システムの概略の構成説明図である。
【図４】本発明の浴槽運転システムにおける一つの客室の制御機構ブロック図である。
【図５】本発明における湯温制御の一実施例を示すフローチャートである。
【発明を実施するための形態】
【００１８】
以下、本発明の宿泊施設の浴槽運転システムを実施するための形態について、図面を参照して説明する。
【実施例１】
【００１９】
図１は本発明の一実施例の宿泊施設の浴槽運転システムにおける一つの客室の浴槽設備の構成説明図、図２は図１の要部の拡大図、図３は浴槽運転システムの概略の構成説明図である。
本発明は宿泊施設の複数の客室にそれぞれ設置された浴槽１０の湯温及び水位を個別に制御する宿泊施設の浴槽運転システムであり、図３に示すように、管理サーバー１と各客室毎に設けられた制御盤（制御基板）２とがハブ２１を介してＬＡＮケーブルで接続された客室ネットワークが構築され、かつ、各客室の制御盤にそれぞれリモコン２２が接続されている。
【００２０】
各浴室には、
各客室に共通である共通給湯配管３’から分岐して湯を供給する給湯配管３と、
各客室に共通である共通給水配管４’から分岐して冷水を供給する給水配管４と、
前記給湯配管３から供給された湯と前記給水配管４から供給された冷水とをミキシングバルブ１１を介して混合した適温水を適温水用電動弁１２を介して浴槽に供給する主として湯張りと適温水補給のための適温水配管６と、
各客室に共通である共通温泉配管５’から分岐して温泉を温泉用電動弁１３を介して浴槽１０に供給する主として湯張りと温泉補給のための温泉配管５と、
前記給水配管４から分岐され通常は閉ざされている分岐管用電動弁１４を介在させて前記適温水配管６に接続される分岐管７と、
浴槽の湯を排水用電動弁１５を介して排水する排水管９と、
浴槽１０の湯を循環配管８を通して循環させる循環ポンプ１６及び前記循環ポンプ１６により循環する湯を昇温させる実施例では熱交換器（昇温手段）１７を有する循環昇温装置１８とを備えている。
循環ポンプ１６は浴槽下部から循環水吸込配管８ａを通じて浴槽湯を吸込んで熱交換器１７に送り込み、昇温した温水を循環水戻配管８ｂを通じて直接浴槽水中に戻す。
前記適温水配管６及び温泉配管５から送られる適温水及び温泉は浴槽１０の湯口２７から浴槽に注がれる。
【００２１】
前記循環昇温装置１８の熱交換器１７には、各客室に共通である共通熱媒水往配管１９’から分岐して熱交換器１７に熱媒水を送り込む熱媒水往き配管１９と、熱交換器１７からでた熱媒水を分岐元である各客室に共通である共通熱媒水還り配管２０’に戻す熱媒水還り配管２０とが接続されている。
前記熱媒水往き配管１９と熱交換器１７との間には温調用電動三方弁２３が設けられている。場合により前記温調用電動三方弁を単に三方弁と略していう。
この三方弁（温調用電動三方弁）２３は、熱交換器１７側に開放（昇温側２３ａに開放）されると熱媒水往き配管１９の熱媒水が熱交換器１７内を通過（昇温作用）した後、熱媒水還り配管２０を経て共通熱媒水還り配管２０’に戻る。
また、三方弁２３が熱媒水還り配管２０側（昇温停止側２３ｂ）に開放されると熱媒水往き配管１９の熱媒水はバイパスして熱媒水還り配管２０に流れ共通熱媒水還り配管２０’に戻る（したがって、熱交換器１７の昇温作用は停止する）。
【００２２】
浴槽の湯温はこの実施例では、循環ポンプ１６と熱交換器１７との間の管路に接続された湯温センサ（温度センサ）２４にて検出するようにしている。また、浴槽の水位は圧力センサ式の水位センサ２５にて検出するようにしている。
【００２３】
図１において、２点鎖線は制御盤２と各浴槽機器との間の制御線を示す。
循環昇温装置１８における循環ポンプ１６や熱交換器１７や三方弁２３等の各機器の制御線は端子盤２６を介して制御盤２に接続されている。なお、湯温センサ２４の制御線も端子盤２６を介して制御盤２に接続されている。
図４に一つの客室における上述した各浴槽運転機器、センサを制御する制御機構をブロック図で示す。
【００２４】
浴槽運転状態にない時（浴槽を使用していない時）は、電動弁１２、１３、１４等は閉状態であり、循環ポンプ１６は停止している。
管理サーバー１又は各客室のリモコン２２で湯張り操作をした場合、排水用電動弁１５が閉、適温水用電動弁１２と温泉用電動弁１３の両方が開となり、給湯配管３の湯と給水配管４の冷水とがミキシングバルブ１１にて混合された適温水配管６側の適温水と温泉配管５側の温泉との両方が浴槽１０に送られる。
浴槽湯が管理サーバー１又は各客室のリモコン２２で最初に設定した水位（初期設定水位）に達すると、水位センサ２５がその初期設定水位を検知し、適温水用電動弁１２と温泉用電動弁１３の両方が閉となり、適温水及び温泉の供給は停止する。
【００２５】
湯張り後の浴槽水位の調整についても、管理サーバー１又は各客室のリモコン２２において適宜の水位を設定することができる。水位センサ２５が検知した水位が設定水位より低い時は、適温水用電動弁１２と温泉用電動弁１３の両方若しくはその一方が開となり、適温水との温泉との両方又は一方が浴槽に供給され、水位が設定水位に達すると適温水用電動弁１２、温泉用電動弁１３は停止し、適温水、温泉の供給は停止する。この水位制御は、水位センサを用いる一般的な水位制御方法によって行うことができる。
【００２６】
湯張りにより浴槽が満水（初期設定水位）になった後の浴槽運転状態において、管理サーバー１又は各客室のリモコン２２にて設定した湯温（設定湯温）に基づいて、浴槽湯温を調整することができる。図５に湯温調整（湯温制御）の際の動作をフローチャートで示す。
この図５のフローチャートでは、主として湯張りと適温水補給のための適温水配管６、及び主として湯張りと温泉補給のための温泉配管５は使用しない状態からスタートする場合（適温水用電動弁１２、及び温泉用電動弁１３を閉）としている。
【００２７】
浴槽湯温Ｔを湯温Ｔ１にしたい場合、例えばリモコン２２の操作により湯温をＴ１に設定（ステップＳ１）し、湯温調整をＯＮ（湯温調整ボタンをＯＮ（湯温制御可能状態））にする（ステップＳ２）。
温Ｔ＝Ｔ１であれば、すなわち湯温Ｔ≠Ｔ１でない場合（ステップＳ３でＮ０）、昇温動作も降温動作も開始せずに、そのままの状態が維持される。
【００２８】
湯温Ｔ≠Ｔ１の場合（ステップＳ３でＹｅｓ）に、湯温Ｔ＜Ｔ１であれば（ステップＳ４でＹｅｓ）、循環昇温装置１８が作動状態（温調用電動三方弁２３が昇温側（図１、図２で２３ａ側）に開放の状態）となり、図５の左側のフローのように、湯温が設定湯温Ｔ１となるまで、その昇温作動状態が続く。
すなわち、ステップＳ５で分岐管用弁（分岐管用電動弁）１４が閉であることを確認し（開であれば分岐管用弁２３を閉とする（Ｓ６））、かつ、三方弁２３が昇温側（２３ａ側）に開放であることを確認する（Ｓ７）（開放でない場合は昇温側に開放する（Ｓ８））。この状態では、循環昇温装置１８が昇温作動状態なので、循環する湯が昇温され浴槽湯温が上昇する。
湯温ＴがＴ１より高くない場合（Ｓ９でＮｏ）は、昇温作動状態が続く。
湯温ＴがＴ１以上になると（Ｓ９でＹｅｓ）と、三方弁２３が昇温停止側（図１、図２で２３ｂ側）に開放される（Ｓ１０）。
すると、熱媒水往き配管１９からの熱媒水は熱交換器１７に入らずに、バイパス管路を通って熱媒水還り配管２０に流れるので、昇温作動状態は停止する。
【００２９】
特に低い湯温を好む客であれば、リモコン２２で設定する設定湯温Ｔ１は通常の湯温より低い温度であろうから、湯温を下げる必要が生じる。
この場合は、図５の右側のフローとなる。
すなわち、湯温Ｔ≠Ｔ１の場合（ステップＳ３でYes）に、湯温Ｔ＞Ｔ１であれば（ステップＳ４でＮｏ）、ステップＳ１５で三方弁２３が昇温停止側（図１、図２で２３ｂ側）に開放であることを確認し（昇温側（２３ａ側）であれば昇温停止側（２３ｂ側）に開放（Ｓ１６））し、かつ、分岐管用弁（分岐管用電動弁）１４が開であることを確認する（Ｓ１７）（開でない場合は分岐管用弁を開く（Ｓ１８））。この状態では、分岐管７からの冷水が適温水配管６に流入し冷水と適温水とが混合するので、湯温が下降する。
湯温ＴがＴ１より低くない場合（Ｓ１９でＮｏ）は、降温作動状態が続く。
湯温ＴがＴ１より低くなると（Ｓ１９でＹｅｓ）、分岐管用弁１４を閉ざす（Ｓ２０）。
すると、降温作動状態は停止する。
【００３０】
上記の降温制御の場合は、分岐管用弁１４からの冷水が浴槽に補給されるので、浴槽の水位は上昇する。その場合に、水位が設定水位を超えたことを水位センサ２５が検知した時、水位制御システムが作動して排水用電動弁１５が開となって浴槽水を排出し、水位が設定水位まで下がると排水用電動弁１５が閉となる。
【００３１】
図５で説明した湯温制御方式の降温制御では、適温水配管６の適温水用電動弁１２及び温泉配管５の温泉用電動弁１３をいずれも閉としているが、その一方又は両方を開とした状態で、降温制御することも可能である。
例えば適温水用電動弁１２を開として降温制御をする場合、分岐管７の冷水と適温水配管６の適温水とが混合した低温適温水が浴槽に供給されるが、この場合は図５の右側の降温時のフローにおいて「分岐管用弁」に代えて「分岐管用弁及び適温水用電動弁」と置き換えることで、所望の降温制御を行うことができる。さらに、「分岐管用弁」を「分岐管用弁と温泉用電動弁１２」又は、「分岐管用弁と適温水用電動弁１２と温泉用電動弁１３」と置き換える降温制御も同様に可能である。
なお、昇温制御の場合も、適温水用電動弁１２及び温泉用電動弁１３又はその一方を開として昇温制御をすることを除外しない。
【００３２】
上述の実施例では、適温水用電動弁１２、分岐管用電動弁１４、温泉用電動弁１３として、いずれも単なる開閉操作の電動弁を想定しているが、開度調整可能で流量を調節できる比例制御の電動弁を採用することもできる。
また、循環昇温装置の昇温手段の熱源として、実施例では各客室に共通する熱媒水往き配管１９’及び熱媒水還り配管２０’から分岐させた熱媒水往き配管１９及び熱媒水還り配管２０を流れる熱媒水を用いているが、各客室に設けた例えばガス熱源機などを用いてもよい。
【符号の説明】
【００３３】
１  管理サーバー
２  制御盤（制御基板）
３  給湯配管
３’共通給湯配管
４  給水配管
４’共通給水配管
５  温泉配管
５’共通温泉配管
６  適温水配管
７  分岐管
８  循環配管
９  排水管
１０  浴槽
１１  ミキシングバルブ
１２  適温水用電動弁
１３  温泉用電動弁
１４  分岐管用電動弁（分岐管用弁）
１５  排水用電動弁
１６  循環ポンプ
１７  熱交換器（昇温手段）
１８  循環昇温装置
１９  熱媒水往き配管
１９’共通熱媒水往配管
２０  熱媒水還り配管
２０’共通熱媒水還り配管
２１  ハブ（ＨＵＢ）
２２  リモコン
２３  温調用電動三方弁（三方弁）
２４  湯温センサ（温度センサ）
２５  水位センサ
２６  端子盤
【図１】
2020063854.tif 000003
【図２】
2020063854.tif 000004
【図３】
2020063854.tif 000005
【図４】
2020063854.tif 000006
【図５】
2020063854.tif 000007